(57)【要約】【課題】ユーザにとって有用度の大きい放送チャネルの利用の機会を可及的に供与する「ラジオ放送受信装置」を提供する。【解決手段】プリセットリストの各エントリに、ユーザが登録した放送局の周波数と共に当該放送局が放送するプログラムのジャンルを表すPTYも登録しておく。そして、プリセットリストのいずれかのエントリに登録されているPTYと同じ、PTYを送信する周波数チャネルについては、受信品質がしきい値ThAより良好であれば受信可能と判定し、他のPTYを送信する周波数チャネルについては、受信品質がしきい値ThSより良好な場合のみ受信可能と判定する。しきい値ThSは正常に放送音声を出力できる受信品質の最小値を設定し、しきい値ThAは出力する放送音声に多少ノイズが含まれるとしても、当該出力する放送音声の聞き取りに大きな支障が生じない受信品質の最小値を設定する。【選択図】図２
2017017526.tif 000002
【特許請求の範囲】
【請求項１】
複数の放送チャネルの放送を受信するラジオ放送受信装置であって、
放送チャネルの放送を受信し、当該放送チャネルで受信した音声を出力する受信出力手段と、
前記各放送チャネルの受信品質を検出する受信品質検出手段と、
放送を受信可能な放送チャネルを検出する受信可能チャネル検出手段とを有し、
前記受信可能チャネル検出手段は、
前記放送チャネルで放送される番組のジャンルとして予め定められた複数のジャンルのうちの一部のジャンルである所定のジャンルと異なるジャンルの番組を放送している放送チャネルについては、前記受信品質検出手段が検出した受信品質が第１の基準よりも良好な放送チャネルを受信可能な放送チャネルとして検出し、前記所定のジャンルと同じジャンルの番組を放送している放送チャネルについては、前記受信品質検出手段が検出した受信品質が第２の基準よりも良好な放送チャネルを受信可能な放送チャネルとして検出し、
前記第１の基準は、前記第２の基準が表す受信品質よりも良好な受信品質を表すものであることを特徴とするラジオ放送受信装置。
【請求項２】
請求項１記載のラジオ放送受信装置であって、
ユーザによって登録を指示された番組の放送チャネルと当該放送チャネルで放送される番組のジャンルとを登録したプリセットテーブルと、
ユーザの、前記プリセットテーブルに登録されている放送チャネルの受信開始指示操作に応じて、前記受信出力手段に、プリセットテーブルに登録されている放送チャネルの受信と、当該放送チャネルで受信した音声の出力を開始させるプリセットチャネル受信制御手段とを有し、
前記所定のジャンルは、前記プリセットテーブルに登録されているジャンルを含むことを特徴とするラジオ放送受信装置。
【請求項３】
請求項１または２記載のラジオ放送受信装置であって、
前記所定のジャンルは、前記受信出力手段が受信し音声を出力している放送チャネルで放送される番組のジャンルを含むことを特徴とするラジオ放送受信装置。
【請求項４】
請求項１、２または３記載のラジオ放送受信装置であって、
前記ジャンル毎に、前記受信出力手段が当該ジャンルの番組を放送する放送チャネルを受信し音声を出力した頻度を管理するジャンル別利用頻度管理手段を有し、
前記所定のジャンルは、ジャンル別利用頻度管理手段が管理している利用頻度が所定レベル以上大きいジャンルを含むことを特徴とするラジオ放送受信装置。
【請求項５】
請求項１、２、３、または４記載のラジオ放送受信装置であって、
前記放送は、RDS（Radio Data System）によってデータが音声に多重化されて放送されるＦＭ放送であり、前記放送チャネルで放送される番組のジャンルとは、当該放送チャネルの放送で多重化されて放送されているデータに含まれるPTY(Program Type)によって示されるジャンルであることを特徴とするラジオ放送受信装置。
【請求項６】
複数の放送チャネルの放送を受信するラジオ放送受信装置であって、
放送チャネルの放送を受信し、当該放送チャネルで受信した音声を出力する受信出力手段と、
前記各放送チャネルの受信品質を検出する受信品質検出手段と、
放送を受信可能な放送チャネルを検出する受信可能チャネル検出手段とを有し、
前記受信可能チャネル検出手段は、
１または複数の所定の番組識別子以外の番組識別子によって識別が示される番組を放送している放送チャネルについては、前記受信品質検出手段が検出した受信品質が第１の基準よりも良好な放送チャネルを受信可能な放送チャネルとして検出し、前記所定の番組識別子によって識別が示される番組を放送している放送チャネルについては、前記受信品質検出手段が検出した受信品質が第２の基準よりも良好な放送チャネルを受信可能な放送チャネルとして検出し、
前記第１の基準は、前記第２の基準が表す受信品質よりも良好な受信品質を表すものであることを特徴とするラジオ放送受信装置。
【請求項７】
請求項６記載のラジオ放送受信装置であって、
前記放送は、RDS（Radio Data System）によってデータが音声に多重化されて放送されるＦＭ放送であり、前記放送チャネルで放送される番組の識別を示す番組識別子は、当該放送チャネルの放送で多重化されて放送されているデータに含まれるPI(Program Identification)であることを特徴とするラジオ放送受信装置。
【請求項８】
請求項１、２、３、４、５、６または７記載のラジオ放送受信装置であって、
受信可能な放送チャネルを登録したステーションリストと、
ユーザの、前記ステーションリストに登録されている放送チャネルの受信開始指示操作に応じて、前記受信出力手段に、前記ステーションリストに登録されている放送チャネルの受信と、当該放送チャネルで受信した音声の出力を開始させる受信可能ステーション受信制御手段とを有し、
前記受信可能チャネル検出手段は、放送を受信可能な全ての放送チャネルを検出し、検出した放送チャネルを前記ステーションリストに登録することを特徴とするラジオ放送受信装置。
【請求項９】
請求項１、２、３、４、５、６または７記載のラジオ放送受信装置であって、
周波数を増加する方向と、周波数を減少する方向とのうちの一方の方向をサーチ方向として、
前記受信可能チャネル検出手段は、放送を受信可能な放送チャネルであって、前記受信出力手段が受信し音声を出力している放送チャネルに、前記サーチ方向側において放送周波数が最も近い放送チャネルを検出し、前記受信出力手段に、検出した放送チャネルの受信と、当該放送チャネルで受信した音声の出力を開始させることを特徴とするラジオ放送受信装置。
【請求項１０】
請求項１、２、３、４、５、６または７記載のラジオ放送受信装置であって、
周波数を増加する方向と、周波数を減少する方向とのうちの一方の方向をスキャン方向として、
前記受信可能チャネル検出手段は、放送を受信可能な放送チャネルであって、前記受信出力手段が受信し音声を出力している放送チャネルに、前記サーチ方向側において放送周波数が最も近い放送チャネルを検出し、前記受信出力手段に、検出した放送チャネルの受信と、当該放送チャネルで受信した音声の出力を一定時間行わせる処理を繰り返し行うことを特徴とするラジオ放送受信装置。
【発明の詳細な説明】
【技術分野】
【０００１】
本発明は、ラジオ放送受信装置において受信可能な放送チャネルを探索する技術に関するものである。
【背景技術】
【０００２】
ラジオ放送受信装置において受信可能な放送チャネルを探索する技術としては、受信電界強度が所定のしきい値より大きい放送チャネルを受信可能な放送チャネルとして探索し、探索した放送チャネルを登録したリストを作成すると共に、作成したリストをユーザに対して提示し、ユーザがリスト中から選択した放送チャネルの受信を開始する技術が知られている（たとえば、特許文献１、２）。
【０００３】
また、番組の識別を可能にするPI(Program Identification)と、放送内容のシャンルを示すPTY(Program Type)とを含むRDS（Radio Data System）テータが多重化されて放送されるラジオ放送を受信するラジオ放送受信装置も知られている（たとえば、特許文献３、４）
【先行技術文献】
【特許文献】
【０００４】
【特許文献１】特開2008- 17392号公報
【特許文献２】特開2011- 35883号公報
【特許文献３】特開2002-359568号公報
【特許文献４】特開2009-201021号公報
【発明の概要】
【発明が解決しようとする課題】
【０００５】
ラジオ放送受信装置において受信可能な放送チャネルを探索する場合に、受信可能な放送チャネルとする放送チャネルは、基本的には、ノイズの混入なく音声をユーザに対して出力可能な程度に受信品質が良好な放送チャネルとすることが、音声を良好に聴取できる放送チャネルをユーザが容易に利用できるようにする観点から適切である。
【０００６】
一方で、ユーザにとって有用度の大きい放送チャネルについては、多少受信品質が悪くても、受信可能な放送チャネルとしてユーザに受信の機会を提供することが好ましい。すなわち、たとえば、たとえば、スポーツを好むユーザにとっては、スポーツ放送が行われている放送チャネルの有用度は大きいので、出力する音声に多少ノイズが混入するような受信品質であっても、スポーツ放送が行われている放送チャネルは受信可能な放送チャネルとして、ユーザに利用の機会を提供することが好ましい。
【０００７】
しかしながら、上述した受信電界強度が所定のしきい値より大きいか放送チャネルを受信可能な放送チャネルを判定する技術によれば、全ての放送チャネルについて同一の受信品質の基準が適用されるため、ユーザにとって有用度の大きい放送チャネルについては、多少受信品質が悪くても受信可能な放送チャネルとしつつ、他の放送チャネルについて、受信品質が充分に良好な放送チャネルのみを受信可能な放送チャネルとすることはできない。また、上述した技術では、どの放送チャネルがユーザにとって有用度の大きい放送チャネルであるのかを識別することもできない。
【０００８】
そこで、本発明は、ラジオ放送受信装置において、一般の放送チャネルについては受信品質が良好な放送チャネルのみを受信可能な放送チャネルとしてユーザに受信の機会を提供しつつ、ユーザにとって有用度の大きい放送チャネルについてのみは、多少受信品質が悪くても、受信可能な放送チャネルとして、ユーザに受信の機会を提供することを課題とする。
【課題を解決するための手段】
【０００９】
前記課題達成のために、本発明は、複数の放送チャネルの放送を受信するラジオ放送受信装置に、放送チャネルの放送を受信し、当該放送チャネルで受信した音声を出力する受信出力手段と、前記各放送チャネルの受信品質を検出する受信品質検出手段と、放送を受信可能な放送チャネルを検出する受信可能チャネル検出手段とを備えたものである。ここで、前記受信可能チャネル検出手段は、前記放送チャネルで放送される番組のジャンルとして予め定められた複数のジャンルのうちの一部のジャンルである所定のジャンルと異なるジャンルの番組を放送している放送チャネルについては、前記受信品質検出手段が検出した受信品質が第１の基準よりも良好な放送チャネルを受信可能な放送チャネルとして検出し、前記所定のジャンルと同じジャンルの番組を放送している放送チャネルについては、前記受信品質検出手段が検出した受信品質が第２の基準よりも良好な放送チャネルを受信可能な放送チャネルとして検出する。また、前記第１の基準は、前記第２の基準が表す受信品質よりも良好な受信品質を表すものである。
【００１０】
以上のようなラジオ放送受信装置によれば、所定のジャンルと異なるジャンルの番組を放送している放送チャネルについては、受信品質が第１の基準よりも良好な場合にのみ受信可能な放送チャネルとして検出するが、所定のジャンルと同じジャンルの番組を放送している放送チャネルについては、受信品質が第１の基準よりも悪くても第２の基準より良好な場合には受信可能な放送チャネルとして検出する。
【００１１】
よって、前記所定のジャンルをユーザにとって有用なジャンルを設定することにより、ユーザにとって有用度の大きい放送チャネルの利用の機会を、他の放送チャネルよりも優遇して提供することができる。
【００１２】
すなわち、より具体的には、このようなラジオ放送受信装置は、ユーザによって登録を指示された番組の放送チャネルと当該放送チャネルで放送される番組のジャンルとを登録したプリセットテーブルと、ユーザの、前記プリセットテーブルに登録されている放送チャネルの受信開始指示操作に応じて、前記受信出力手段に、プリセットテーブルに登録されている放送チャネルの受信と、当該放送チャネルで受信した音声の出力を開始させるプリセットチャネル受信制御手段とを備えたものであってよく、この場合、前記所定のジャンルは、前記プリセットテーブルに登録されているジャンルを含むものとしてよい。
【００１３】
また、以上のようなラジオ放送受信装置は、前記所定のジャンルは、前記受信出力手段が受信し音声を出力している放送チャネルで放送される番組のジャンルを含むものとして構成してもよい。
【００１４】
また、以上のようなラジオ放送受信装置に、前記ジャンル毎に、前記受信出力手段が当該ジャンルの番組を放送する放送チャネルを受信し音声を出力した頻度を管理するジャンル別利用頻度管理手段を設け、前記所定のジャンルを、ジャンル別利用頻度管理手段が管理している利用頻度が所定レベル以上大きいジャンルを含むものとしてもよい。
【００１５】
ここで、以上のようなラジオ放送受信装置において、前記放送は、たとえば、RDS（Radio Data System）によってデータが音声に多重化されて放送されるＦＭ放送であり、前記放送チャネルで放送される番組のジャンルは、当該放送チャネルの放送で多重化されて放送されているデータに含まれるPTY(Program Type)によって示されるジャンルである。
【００１６】
また、前記課題達成のために、本発明は、併せて、複数の放送チャネルの放送を受信するラジオ放送受信装置に、放送チャネルの放送を受信し、当該放送チャネルで受信した音声を出力する受信出力手段と、前記各放送チャネルの受信品質を検出する受信品質検出手段と、放送を受信可能な放送チャネルを検出する受信可能チャネル検出手段とを備えたものである。ここで、前記受信可能チャネル検出手段は、１または複数の所定の番組識別子以外の番組識別子によって識別が示される番組を放送している放送チャネルについては、前記受信品質検出手段が検出した受信品質が第１の基準よりも良好な放送チャネルを受信可能な放送チャネルとして検出し、前記所定の番組識別子によって識別が示される番組を放送している放送チャネルについては、前記受信品質検出手段が検出した受信品質が第２の基準よりも良好な放送チャネルを受信可能な放送チャネルとして検出する。また、前記第１の基準は、前記第２の基準が表す受信品質よりも良好な受信品質を表すものである。
【００１７】
ここで、このようなラジオ放送受信装置において、前記放送は、たとえば、RDS（Radio Data System）によってデータが音声に多重化されて放送されるＦＭ放送であり、前記放送チャネルで放送される番組の識別を示す番組識別子は、当該放送チャネルの放送で多重化されて放送されているデータに含まれるPI(Program Identification)である。
【００１８】
これらラジオ放送受信装置によれば、所定の番組識別子と異なる番組識別子の番組を放送している放送チャネルについては、受信品質が第１の基準よりも良好な場合にのみ受信可能な放送チャネルとして検出するが、所定の番組識別子と同じ番組識別子の番組を放送している放送チャネルについては、受信品質が第１の基準よりも悪くても第２の基準より良好な場合には受信可能な放送チャネルとして検出する。
【００１９】
よって、前記所定の番組識別子としてユーザにとって有用な番組の番組識別子を設定することにより、ユーザにとって有用度の大きい放送チャネルの利用の機会を、他の放送チャネルよりも優遇して提供することができる。
【００２０】
ここで、以上のようなラジオ放送受信装置は、当該ラジオ放送受信装置に、さらに、受信可能な放送チャネルを登録したステーションリストと、ユーザの、前記ステーションリストに登録されている放送チャネルの受信開始指示操作に応じて、前記受信出力手段に、前記ステーションリストに登録されている放送チャネルの受信と、当該放送チャネルで受信した音声の出力を開始させる受信可能ステーション受信制御手段とを設け、前記受信可能チャネル検出手段において、放送を受信可能な全ての放送チャネルを検出し、検出した放送チャネルを前記ステーションリストに登録するように構成してもよい。
【００２１】
または、以上のようなラジオ放送受信装置は、周波数を増加する方向と、周波数を減少する方向とのうちの一方の方向をサーチ方向として、前記受信可能チャネル検出手段において、放送を受信可能な放送チャネルであって、前記受信出力手段が受信し音声を出力している放送チャネルに、前記サーチ方向側において放送周波数が最も近い放送チャネルを検出し、前記受信出力手段に、検出した放送チャネルの受信と、当該放送チャネルで受信した音声の出力を開始させるように構成してもよい。
【００２２】
または、以上のようなラジオ放送受信装置は、周波数を増加する方向と、周波数を減少する方向とのうちの一方の方向をスキャン方向として、前記受信可能チャネル検出手段において、放送を受信可能な放送チャネルであって、前記受信出力手段が受信し音声を出力している放送チャネルに、前記サーチ方向側において放送周波数が最も近い放送チャネルを検出し、前記受信出力手段に、検出した放送チャネルの受信と、当該放送チャネルで受信した音声の出力を一定時間行わせる処理を繰り返し行うように構成してもよい。
【発明の効果】
【００２３】
以上のように、本発明によれば、ラジオ放送受信装置において、一般の放送チャネルについては受信品質が良好な放送チャネルのみを受信可能な放送チャネルとしてユーザに受信の機会を提供しつつ、ユーザにとって有用度の大きい放送チャネルについてのみは、多少受信品質が悪くても、受信可能な放送チャネルとして、ユーザに受信の機会を提供することができる。
【図面の簡単な説明】
【００２４】
【図１】本発明の実施形態に係るラジオ放送受信装置の構成を示すブロック図である。
【図２】本発明の実施形態に係るラジオ放送受信装置のメモリに格納するデータを示す図である。
【図３】本発明の実施形態に係るステーションリスト登録処理を示すフローチャートである。
【図４】本発明の実施形態に係るステーションリスト登録処理の処理例を示す図である。
【図５】本発明の実施形態に係るラジオ放送受信装置の表示例を示す図である。
【図６】本発明の実施形態に係るサーチ処理を示すフローチャートである。
【図７】本発明の実施形態に係るスキャン処理を示すフローチャートである。
【発明を実施するための形態】
【００２５】
以下、本発明の実施形態について説明する。
図１に、本実施形態に係るラジオ放送受信装置の構成を示す。
ここで、本実施形態に係るラジオ放送受信装置は、たとえば、自動車に搭載されるカーラジオや、ポータブルラジオなどの、位置が移動するラジオ放送受信装置である。
さて、図示するように、ラジオ放送受信装置は、二つの受信部１、セレクタ２、オーディオ信号処理部３、スピーカ４、制御部５、メモリ６、操作部７、表示部８とを備えている。
【００２６】
そして、二つの受信部１の各々は、RDS（Radio Data System）によってデータが音声に多重化されて放送されるFM放送を受信する受信装置であり、各受信部１はアンテナ１１とチューナ１２とより構成されている。また、各受信部１のチューナ１２は、FMフロントエンド１２１（FM F/E１２１）、FM復調部１２２、RDSデコーダ１２３を備えている。
【００２７】
また、各チューナ１２において、FMフロントエンド１２１は、制御部５から受信周波数として設定された周波数の周波数チャネルを受信し、受信信号をFM復調部１２２に送る、FM復調部１２２は受信信号から音声信号を復調してセレクタ２に送る。また、FM復調部１２２は、受信信号に、RDS（Radio Data System）によって音声信号に多重化されて送信されたデータ信号が含まれている場合には、これをRDSデコーダ１２３に送り、RDSデコーダ１２３はデータ信号からデータをデコードし制御部５に送る。ここで、RDSデコーダ１２３が制御部５に送るデータには、設定された受信周波数の周波数チャネルで放送されているプログラム（番組）の識別子となるPI(Program Identification)や、当該プログラム（番組）のジャンルを表すPTY(Program Type)や、当該プログラムと同じPIのプログラムを放送している他のFM放送の周波数である代替周波数のリストであるAFや、設定された受信周波数の周波数チャネルで放送を行っている放送局の放送局名を表すPS (Program Service)などが含まれる。
【００２８】
また、各チューナ１２において、FMフロントエンド１２１は、設定された受信周波数の周波数チャネルの受信電界強度やＳＮ比などから、設定された受信周波数の周波数チャネルの受信品質を算定し制御部５に通知する。
【００２９】
ここで、制御部５は、二つの受信部１のうちの一方の受信部１のチューナ１２をフォアグランドチューナ、他方の受信部１のチューナ１２をバックグランドチューナとして用い、セレクタ２にフォアグランドチューナのFM復調部１２２から入力する音声信号をオーディオ信号処理部３に出力させる。オーディオ信号処理部３は、セレクタ２から入力する音声信号の周波数特性の調整や増幅を行ってスピーカ４に出力する。
【００３０】
次に、本実施形態において、メモリ６には、受信中ステーション情報と、プリセットリストと、ステーションリストとが格納される。
図２ａに示すように受信中ステーション情報には、フォアグランドチューナで受信中の番組のPI、フォアグランドチューナで受信中の番組のPTY、フォアグランドチューナで受信中の番組のPS、フォアグランドチューナで受信したAF、フォアグランドチューナで受信中の周波数チャネルの周波数、フォアグランドチューナで受信中の周波数チャネルのAF情報が登録される。ここで、受信中ステーション情報の、PI、PTY、PS、 AFにはフォアグランドチューナのRDSデコーダ１２３から取得したPI、PTY、PS、AFを登録し、受信中ステーション情報の周波数にはフォアグランドチューナに設定している受信周波数を登録する。そして、受信中ステーション情報の、AF情報には、フォアグランドチューナのRDSデコーダ１２３から取得したAFに含まれる代替周波数のうち、最も受信品質の良い代替周波数を登録する。
【００３１】
次に、図２ｂに示すように、プリセットリストは、複数のプリセット番号の各々に対応して設けられたエントリ（図の各行）を有し、各エントリには、対応するプリセット番号、対応するプリセット番号に対してユーザが登録した放送局のPI、PTY、PS、AF、周波数が登録される。
【００３２】
ここで、このようなプリセットリストにおけるプリセット番号に対する放送局の登録は、たとえば、次のように行う。
すなわち、制御部５は、操作部７から特定のプリセット番号への登録指示操作が発生したならば、フォアグランドチューナのRDSデコーダ１２３から、フォアグランドチューナで受信中の番組のPI、PTY、PSとAFを取得し、取得したPI、PTY、PS、AFとフォアグランドチューナで受信中の周波数チャネルの周波数を、当該特定のプリセット番号のエントリに登録する。
【００３３】
次に、ステーションリストは、現在受信可能な周波数チャネルを登録したリストであり、図２ｃに示すように、ステーションリストには、現在受信可能な周波数チャネルの各々に対応して設けられたエントリ（図の各行）を有し、各エントリに対応する周波数チャネルの放送のPI、PTY、PSと、対応する周波数チャネルの周波数が登録される。
【００３４】
ここで、このステーションリストへの周波数チャネルの登録動作については後述する。
さて、このようなラジオ放送受信装置の構成において、制御部５は、ユーザから操作部７を介してプリセット番号の指定を受け付け、プリセットリストの、ユーザから指定されたプリセット番号のエントリに登録されている周波数を受信周波数としてフォアグランドチューナに設定することにより、フォアグランドチューナで受信する周波数チャネルを切り替える処理や、図３に示すように、表示部８にステーションリストに登録されている放送局の周波数とPS（放送局名）の一覧を表示し、操作部７を介してユーザの一覧中からの放送局の選択を受け付け、選択を受け付けた放送局の周波数を受信周波数としてフォアグランドチューナに設定することにより、フォアグランドチューナで受信する周波数チャネルを切り替える処理などを行う。
【００３５】
また、制御部５は、バックグランドチューナを用いて、フォアグランドチューナのRDSデコーダ１２３から取得したAFに含まれる各代替周波数の受信品質を調べ、最も受信品質の良い代替周波数に、ステーション情報のAF情報を更新する処理を行う。
【００３６】
また、制御部５は、バックグランドチューナを用いて、プリセットリストの各エントリについて、当該エントリに登録されているPIと同じPIの番組を放送している各周波数チャネルの受信品質を調べ、最も受信品質の良い周波数に当該エントリの周波数を更新する処理なども行う。なお、当該エントリに登録されているPIと同じPIの番組を放送している各周波数チャネルは、当該エントリの周波数の周波数チャネルと、当該エントリのAFに登録されている周波数の周波数チャネルとして求めるようにしてもよい。
【００３７】
以下、ステーションリストへの周波数チャネルの登録動作について説明する。
図４に、制御部５が行うステーションリスト登録処理の手順を示す。
図示するように、制御部５は、この処理において、まず、バックグランドチューナの受信周波数Frを、FM放送が行われ得る周波数範囲の最小の周波数に設定する（ステップ４０２）。
【００３８】
そして、バックグランドチューナから受信周波数Frの周波数チャネルの受信品質Qrを取得する（ステップ４０４）。
そして、受信品質Qrが予め定めておいたしきい値ThAより良好であるかどうかを調べ（ステップ４０６）、良好でなければステップ４１６に進む。ここで、しきい値ThAの値は、受信品質がしきい値ThAより良好な周波数チャネルであれば、その周波数チャネルで受信した音声を、多少のノイズ等の混入はあっても、比較的容易に聞き取り可能なレベルで出力できることが保証できる値を設定する。
【００３９】
一方、受信品質Qrがしきい値ThAより良好である場合には（ステップ４０６）、バックグランドチューナのRDSデコーダ１２３から受信周波数Frの周波数チャネルで受信したPI、PTY、PSを取得する（ステップ４０８）。
【００４０】
そして、受信品質Qrが予め定めておいたしきい値ThSより良好であるかどうかを調べ（ステップ４１０）、良好であれば、ステーションリストに、新たなエントリを作成し、作成したエントリに、PI、PTY、PS、受信周波数Frを登録する（ステップ４１２）。そして、ステップ４１６に進む。ここで、しきい値ThSの値は、受信品質がしきい値ThSより良好な周波数チャネルであれば、その周波数チャネルで受信した音声を、ノイズ等の混入なく良好に出力できることが保証できる値を設定する。したがって、しきい値ThSの受信品質はしきい値ThAの受信品質より良好である。
【００４１】
一方、受信品質Qrがしきい値ThSより良好でなければ（ステップ４１０）、受信周波数Frの周波数チャネルで受信したPTYと同じPTYが受信中ステーション情報またはプリセットリストのいずれかのエントリに登録されているかどうかを調べ（ステップ４１４）、登録されている場合にはステップ４１２に進んで、ステーションリストに、新たなエントリを作成し、作成したエントリに、PI、PTY、PS、受信周波数Frを登録し、ステップ４１６に進む。一方、受信周波数Frの周波数チャネルで受信したPTYと同じPTYが受信中ステーション情報にも登録されておらず、かつ、プリセットリストのいずれのエントリにも登録されていない場合には（ステップ４１４）、そのままステップ４１６に進む
そして、以上のようにしてステップ４０６、４１２、４１４からステップ４１６に進んだならば、バックグランドチューナに設定している受信周波数FrがFM放送が行われ得る周波数範囲の最大の周波数であるかどうかを調べ（ステップ４１６）、最大の周波数であればステップ４０２からの処理に戻る。
【００４２】
一方、受信周波数FrがFM放送が行われ得る周波数範囲の最大の周波数でない場合には（ステップ４１６）、FM放送が行われ得る周波数チャネル間の最小の周波数間隔（たとえば、100kHz）を１ステップとして、バックグランドチューナに設定する受信周波数Frを１ステップ増加し（ステップ４１８）、ステップ４０４からの処理に戻る。
【００４３】
以上、制御部５が行うステーションリスト登録処理について説明した。
以上のようなステーションリスト登録処理によれば、受信中ステーション情報またはプリセットリストのいずれかのエントリに登録されているPTYと同じ、PTYを送信する周波数チャネルについては、受信品質がしきい値ThAより良好であればステーションリストに登録され、他のPTYを送信する周波数チャネルについては、受信品質がしきい値ThSより良好な場合のみ、ステーションリストに登録される。
【００４４】
すなわち、たとえば、図５に示すように、Ａ、Ｂ、Ｃ、Ｄの周波数チャネルの受信品質が図示するように検出された場合、周波数チャネルＡは、受信品質がしきい値ThSを超えているので、PTYに関わらずステーションリストに登録される。
【００４５】
一方、周波数チャネルＢは、受信品質がしきい値ThAより良好であるがしきい値ThSより低いので、周波数チャネルＢが送信するPTY；Sportが、受信中ステーション情報またはプリセットリストのいずれかのエントリに登録されている場合のみステーションリストに登録され、PTY；Sportが、受信中ステーション情報にもプリセットリストのいずれのエントリにも登録されていない場合には、ステーションリストに登録されない。
【００４６】
同様に、周波数チャネルＣは、受信品質がしきい値ThAより良好であるがしきい値ThSより低いので、周波数チャネルＢが送信するPTY；Weatherが、受信中ステーション情報またはプリセットリストのいずれかのエントリに登録されている場合のみステーションリストに登録され、PTY；Sportが、受信中ステーション情報にもプリセットリストのいずれのエントリにも登録されていない場合には、ステーションリストに登録されない。
【００４７】
そして、周波数チャネルＤは、受信品質がしきい値ThAより低いので、PTYに関わらずステーションリストには登録されない。
以上、ステーションリストへの周波数チャネルの登録動作について説明した。
このように本実施形態では、受信中ステーション情報またはプリセットリストのいずれかのエントリに登録されているPTYと同じ、PTYを送信する周波数チャネルについては、その受信品質が、多少のノイズ等の混入はあっても、比較的容易に聞き取り可能なレベルで出力できることが保証できるレベルより良好であれば、受信可能な周波数チャネルとしてステーションリストに登録して、ユーザの当該周波数チャネルの利用の機会を確保する。一方、他の周波数チャネルについては、受信した音声を、ノイズ等の混入なく良好に出力できることが保証できるレベルより良好である場合のみ、ステーションリストに登録して、ユーザの当該周波数チャネルの利用の機会を確保する。
【００４８】
ここで、受信中ステーション情報またはプリセットリストのいずれかのエントリに登録されているPTYが表しているプログラムのジャンルは、ユーザが利用中または日常的に利用してるプログラムのジャンルであることより、ユーザが興味を持っている、ユーザにとって有用なジャンルである蓋然性が大きい。
【００４９】
よって、本実施形態によれば、ユーザにとって有用度の大きい周波数チャネルの利用の機会を、他の周波数チャネルよりも優遇して提供することができる。
次に、制御部５が行うサーチ処理について説明する。
ここで、サーチ処理とは、探索対象とする周波数チャネルを周波数が増加する方向または減少する方向に変化させながら受信可能な周波数チャネルを探索し、受信し音声を出力する周波数チャネルを、最初に検出された受信可能な周波数チャネルに切り替える処理である。
【００５０】
制御部５は、操作部７を介してユーザから周波数増加方向または周波数減少方向のいずれかをサーチ方向とするサーチ指示操作を受け付けたならば、図６に示すサーチ処理を実行する。
【００５１】
図示するように、このサーチ処理では、まず、オーディオ信号処理部３にスピーカ４への音声の出力をミュートさせる（ステップ６０２）。
そして、フォアグランドチューナに設定する受信周波数Frを１ステップ、サーチ方向に増減する（ステップ６０４）。すなわち、サーチ方向が周波数増加方向であれば、フォアグランドチューナに設定する受信周波数Frを１ステップ増加し、サーチ方向が周波数減少方向であれば、フォアグランドチューナに設定する受信周波数Frを１ステップ減少する。
【００５２】
そして、フォアグランドチューナから受信周波数Frの周波数チャネルの受信品質Qrを取得し（ステップ６０６）、受信品質Qrがしきい値ThAより良好であるかどうかを調べ（ステップ６０８）、良好でなければステップ６１８に進む。
【００５３】
一方、受信品質Qrがしきい値ThAより良好である場合には（ステップ６０８）、さらに、受信品質Qrがしきい値ThSより良好であるかどうかを調べ（ステップ６１０）、良好であれば、オーディオ信号処理部３にスピーカ４への音声の出力のミュートを解除させ（ステップ６１２）、サーチ処理を終了する。
【００５４】
一方、受信品質Qrがしきい値ThSより良好でなければ（ステップ６１０）、フォアグランドチューナのRDSデコーダ１２３から受信周波数Frの周波数チャネルで受信したPI、PTYを取得する（ステップ６１４）。そして、受信周波数Frの周波数チャネルで受信したPTYと同じPTYが受信中ステーション情報またはプリセットリストのいずれかのエントリに登録されているかどうかを調べ（ステップ６１６）、登録されている場合にはステップ６１２に進んで、オーディオ信号処理部３にスピーカ４への音声の出力のミュートを解除させ（ステップ６１２）、サーチ処理を終了する。
【００５５】
一方、受信周波数Frの周波数チャネルで受信したPTYと同じPTYが受信中ステーション情報にも登録されておらず、かつ、プリセットリストのいずれのエントリにも登録されていない場合には（ステップ６１６）、ステップ６１８に進む。
【００５６】
次に、以上のようにしてステップ６０８またはステップ６１６から、ステップ６１８に進んだならば、フォアグランドチューナに設定している受信周波数FrがFM放送が行われ得る周波数範囲のサーチ方向側境界の周波数であるかどうかを調べる（ステップ６１８）。すなわち、サーチ方向が周波数増加方向であれば、フォアグランドチューナに設定している受信周波数FrがFM放送が行われ得る周波数範囲の最大周波数であるかどうかを調べ、サーチ方向が周波数減少方向であれば、フォアグランドチューナに設定している受信周波数FrがFM放送が行われ得る周波数範囲の最小周波数であるかどうかを調べる。
【００５７】
そして、受信周波数FrがFM放送が行われ得る周波数範囲のサーチ方向側境界の周波数でなければ（ステップ６１８）、ステップ６０４からの処理に戻る。
一方、受信周波数FrがFM放送が行われ得る周波数範囲のサーチ方向側境界の周波数であれば（ステップ６１８）、フォアグランドチューナに設定する受信周波数Frを、FM放送が行われ得る周波数範囲のサーチ方向と反対方向側の境界の周波数に設定し（ステップ６２０）、ステップ６０６からの処理に戻る。すなわち、ステップ６２００では、サーチ方向が周波数増加方向であれば、フォアグランドチューナに設定する受信周波数FrをFM放送が行われ得る周波数範囲の最小周波数に変更してステップ６０６に戻り、サーチ方向が周波数減少方向であれば、フォアグランドチューナに設定する受信周波数FrをFM放送が行われ得る周波数範囲の最大周波数に変更してステップ６０６に戻る。
【００５８】
以上、制御部５が行うサーチ処理について説明した。
このようなサーチ処理によれば、受信中ステーション情報またはプリセットリストのいずれかのエントリに登録されているPTYと同じPTYを送信する周波数チャネルについては、その受信品質が、多少のノイズ等の混入はあっても、比較的容易に聞き取り可能なレベルで出力できることが保証できるレベルより良好であれば、受信可能な周波数チャネルとして検出して、その周波数チャネルの受信と受信音声の出力を開始するので、やはり、ユーザにとって有用度の大きい周波数チャネルの利用の機会を、他の周波数チャネルよりも優遇して提供することができる。
【００５９】
次に、制御部５が行うスキャン処理について説明する。
ここで、スキャン処理とは、探索対象とする周波数チャネルを周波数が増加する方向または減少する方向に変化させながら受信可能な周波数チャネルを探索し、最初に検出された受信可能な周波数チャネルで受信した音声を短時間、ユーザの試聴のために出力する処理を、ユーザからスキャン停止が指示されるまで繰り返す処理である。
【００６０】
制御部５は、操作部７を介してユーザから周波数増加方向または周波数減少方向のいずれかをスキャン方向とするスキャン指示操作を受け付けたならば、図７に示すスキャン処理を実行する。
【００６１】
図示するように、このスキャン処理では、まず、オーディオ信号処理部３にスピーカ４への音声の出力をミュートさせる（ステップ７０２）。
そして、フォアグランドチューナに設定する受信周波数Frを１ステップ、スキャン方向に増減する（ステップ７０４）。すなわち、スキャン方向が周波数増加方向であれば、フォアグランドチューナに設定する受信周波数Frを１ステップ増加し、スキャン方向が周波数減少方向であれば、フォアグランドチューナに設定する受信周波数Frを１ステップ減少する。
【００６２】
そして、フォアグランドチューナから受信周波数Frの周波数チャネルの受信品質Qrを取得し（ステップ７０６）、受信品質Qrがしきい値ThAより良好であるかどうかを調べ（ステップ７０８）、良好でなければステップ７２６に進む。
【００６３】
一方、受信品質Qrがしきい値ThAより良好である場合には（ステップ７０８）、さらに、受信品質Qrがしきい値ThSより良好であるかどうかを調べ（ステップ７１０）、しきい値ThSより良好であれば、ステップ７１２に進む。
【００６４】
一方、受信品質Qrがしきい値ThSより良好でなければ（ステップ７１０）、フォアグランドチューナのRDSデコーダ１２３から受信周波数Frの周波数チャネルで受信したPI、PTYを取得する（ステップ７２２）。
【００６５】
そして受信周波数Frの周波数チャネルで受信したPTYと同じPTYが受信中ステーション情報またはプリセットリストのいずれかのエントリに登録されているかどうかを調べ（ステップ７２４）、登録されている場合にはステップ７１２に進み、受信周波数Frの周波数チャネルで受信したPTYと同じPTYが受信中ステーション情報にも登録されておらず、かつ、プリセットリストのいずれのエントリにも登録されていない場合にはステップ７２６に進む。
【００６６】
次に、以上のようにしてステップ７１０またはステップ７２４からステップ７１２に進んだならば、オーディオ信号処理部３にスピーカ４への音声の出力のミュートを解除させ（ステップ７１２）、所定のタイムアウト時間（たとえば、２秒）を設定したタイマをスタートする（ステップ７１４）。
【００６７】
そして、タイマのタイムアウトの発生（ステップ７１６）と、操作部７を介したユーザのスキャン停止操作の発生（ステップ７１８）を監視する。
そして、タイムアウトが発生した場合には（ステップ７１６）、オーディオ信号処理部３にスピーカ４への音声の出力をミュートさせ、（ステップ７２０）、ステップ７２６に進む。
【００６８】
一方、ユーザのスキャン停止操作が発生した場合には（ステップ７１８）、そのままスキャン処理を終了する。
また、以上のようにして、ステップ７０８、ステップ７２０、または、ステップ７２４から、ステップ７２６に進んだならば、フォアグランドチューナに設定している受信周波数FrがFM放送が行われ得る周波数範囲のスキャン方向側境界の周波数であるかどうかを調べる（ステップ７２６）。
【００６９】
そして、受信周波数FrがFM放送が行われ得る周波数範囲のスキャン方向側境界の周波数でなければ（ステップ７２６）、ステップ７０４からの処理に戻る。
一方、受信周波数FrがFM放送が行われ得る周波数範囲のスキャン方向側境界の周波数であれば（ステップ７２６）、フォアグランドチューナに設定する受信周波数Frを、FM放送が行われ得る周波数範囲のスキャン方向と反対方向側の境界の周波数に設定し（ステップ７２８）、ステップ７０６からの処理に戻る。
【００７０】
以上、制御部５が行うスキャン処理について説明した。
このようなスキャン処理によれば、受信中ステーション情報またはプリセットリストのいずれかのエントリに登録されているPTYと同じPTYを送信する周波数チャネルについては、その受信品質が、多少のノイズ等の混入はあっても、比較的容易に聞き取り可能なレベルで出力できることが保証できるレベルより良好であれば、受信可能な周波数チャネルとして検出して、その周波数チャネルの受信音声を、ユーザの試聴のために出力するので、やはり、ユーザにとって有用度の大きい周波数チャネルの利用の機会を、他の周波数チャネルよりも優遇して提供することができる。
【００７１】
以上、本発明の実施形態について説明した。
ところで、以上の実施形態におけるステーションリスト登録処理のステップ４１４、サーチ処理のステップ６１６、スキャン処置のステップ７２４は、受信周波数Frの周波数チャネルで受信したPTYと同じPTYが受信中ステーション情報またはプリセットリストのいずれかのエントリに登録されているかどうかを調べる代わりに、受信周波数Frの周波数チャネルで受信したPTYと同じPTYが受信中ステーション情報に登録されているかどうかを調べる処理としたり、受信周波数Frの周波数チャネルで受信したPTYと同じPTYがプリセットリストのいずれかのエントリに登録されているかどうかを調べる処理としてもよい。
【００７２】
また、以上の実施形態におけるステーションリスト登録処理のステップ４１４、サーチ処理のステップ６１６、スキャン処置のステップ７２４は、受信周波数Frの周波数チャネルで受信したPTYと同じPTYが受信中ステーション情報またはプリセットリストのいずれかのエントリに登録されているかどうかを調べる代わりに、受信周波数Frの周波数チャネルで受信したPIと同じPIが受信中ステーション情報またはプリセットリストのいずれかのエントリに登録されているかどうかを調べる処理としたり、受信周波数Frの周波数チャネルで受信したPIと同じPIが受信中ステーション情報に登録されているかどうかを調べる処理としたり、受信周波数Frの周波数チャネルで受信したPIと同じPIがプリセットリストのいずれかのエントリに登録されているかどうかを調べる処理としてもよい。
【００７３】
また、以上の実施形態は、ラジオ放送受信装置において、PTYの値毎に、そのPTYを送信する周波数チャネルの利用の履歴を蓄積し、利用の度合いが大きいPTYを送信する周波数チャネルについては、その受信品質がしきい値Tha以上である場合に受信可能な周波数チャネルとするようにしてもよい。すなわち、以上の実施形態におけるステーションリスト登録処理のステップ４１４、サーチ処理のステップ６１６、スキャン処置のステップ７２４を、受信周波数Frの周波数チャネルで受信したPTYと同じPTYが受信中ステーション情報またはプリセットリストのいずれかのエントリに登録されているかどうかを調べる代わりに、受信周波数Frの周波数チャネルで受信したPTYが利用の度合いが高いPTYであるかどうかを調べる処理としてもよい。
【００７４】
または、以上の実施形態は、ラジオ放送受信装置において、PIの値毎に、そのPIを送信する周波数チャネルの利用の履歴を蓄積し、利用の度合いが大きいPIを送信する周波数チャネルについては、その受信品質がしきい値Tha以上である場合に受信可能な周波数チャネルとするようにしてもよい。すなわち、以上の実施形態におけるステーションリスト登録処理のステップ４１４、サーチ処理のステップ６１６、スキャン処置のステップ７２４を、受信周波数Frの周波数チャネルで受信したPTYと同じPTYが受信中ステーション情報またはプリセットリストのいずれかのエントリに登録されているかどうかを調べる代わりに、受信周波数Frの周波数チャネルで受信したPIが利用の度合いが高いPIであるかどうかを調べる処理としてもよい。
【００７５】
また、以上の実施形態は、制御部５において、ユーザが興味ある番組のPTYをユーザ設定PTYとして登録すると共に、以上の実施形態におけるステーションリスト登録処理のステップ４１４、サーチ処理のステップ６１６、スキャン処置のステップ７２４を、受信周波数Frの周波数チャネルで受信したPTYと同じPTYが受信中ステーション情報またはプリセットリストのいずれかのエントリに登録されているかどうかを調べる代わりに、受信周波数Frの周波数チャネルで受信したPTYと同じPTYが、ユーザ設定PTYとして登録されているかどうかを調べる処理としてもよい。なお、この場合には、ユーザから指定された番組のPTYや、ユーザから指定されたPTYを、ユーザが興味ある番組のPTYとして、ユーザ設定PTYとして登録するようにしても良いし、他の手法によって登録するようにしてもよい。
【００７６】
または、以上の実施形態は、制御部５において、ユーザが興味ある番組のPIをユーザ設定PIとして登録すると共に、以上の実施形態におけるステーションリスト登録処理のステップ４１４、サーチ処理のステップ６１６、スキャン処置のステップ７２４を、受信周波数Frの周波数チャネルで受信したPTYと同じPTYが受信中ステーション情報またはプリセットリストのいずれかのエントリに登録されているかどうかを調べる代わりに、受信周波数Frの周波数チャネルで受信したPIと同じPIが、ユーザ設定PIとして登録されているかどうかを調べる処理としてもよい。なお、この場合には、ユーザから指定された番組のPIや、ユーザから指定されたPIを、ユーザが興味ある番組のPIとして、ユーザ設定PIとして登録するようにしても良いし、他の手法によって登録するようにしてもよい。
【符号の説明】
【００７７】
１…受信部、２…セレクタ、３…オーディオ信号処理部、４…スピーカ、５…制御部、６…メモリ、７…操作部、８…表示部、１１…アンテナ、１２…チューナ、１２１…フロントエンド、１２２…復調部、１２３…RDSデコーダ。
【図１】
2017017526.tif 000003
【図２】
2017017526.tif 000004
【図３】
2017017526.tif 000005
【図４】
2017017526.tif 000006
【図５】
2017017526.tif 000007
【図６】
2017017526.tif 000008
【図７】
2017017526.tif 000009